(57)【要約】【課題】携帯装置に接続できる車載ビデオ／オーディオ装置を提供する。【解決手段】車載ビデオ／オーディオ装置を埋め込み型計算機システム（ｅｍｂｅｄｄｅｄ  ｃｏｍｐｕｔｅｒ  ｓｙｓｔｅｍ）と有線通信方式のＨＤＭＩ及びＵＡＲＴに整合するか、または埋め込み型計算機システム（ｅｍｂｅｄｄｅｄ  ｃｏｍｐｕｔｅｒ  ｓｙｓｔｅｍ）に、ＷＩＦＩまたはＷＩＦＩ／ＧＰＲＳ（４Ｇ）の無線通信モジュールを内部に整合すれば、例えば、多機能携帯電話機またはタブレットＰＣなど、従来の携帯装置を接続することによって、操作制御機能を応用することができる。【選択図】図１
0003174568.tif 000002
【実用新案登録請求の範囲】
【請求項１】
車内前方ダッシュボードの計装パネル上に取り付ける携帯装置に接続できる車載ビデオ／オーディオ装置であって、
車用電源変換システムに接続され、電力を取り込むとともに、車両制御コンピュータシステムのリニア通信システムを介して、車両制御コンピュータシステムに接続する制御システムと、
タッチスクリーンを有し、前記制御システムに接続され、前記表示駆動モジュールによってタッチスクリーンを制御する、埋め込み型計算機システムモジュールと、内蔵のＧＰＳアンテナと、有線通信モジュールとを有する、前面パネルと、
前記制御システムに接続するＦＭ／ＡＭ無線音声受信モジュールと、
前記制御システムに接続する、ＤＶＤ／ＳＤ／ＵＳＢ再生モジュールと、
前記制御システムに接続する、デジタルテレビ受信及び再生モジュールと、
前記制御システムに接続するオーディオ出力システムと、を備える、
前記車載ビデオ／オーディオ装置を埋め込み型計算機システムモジュール及び有線通信モジュールシステムに整合する設計、または前記埋め込み型計算機システムモジュールに、無線通信モジュールシステムを内設する設計は、従来の携帯装置に接続して、機能制御を応用することができる、携帯装置が使用するすべてのユーザーインターフェスの画面を車載ビデオ／オーディオ装置の前記タッチスクリーンに伝送させ、表示及び操作することができる。さらに、ミラーリンクによる表示及び操作によって、使用者は、前記車載ビデオ／オーディオ装置に備える大きいスクリーンを利用して、直接に携帯装置の応用プログラムの実行及びビデオ／オーディオの再生ができる車載ビデオ／オーディオ装置。
【請求項２】
前記有線通信モジュールシステムは、エイチディーエムアイ（ＨＤＭＩ）及び汎用非同期式通信機構（ＵＡＲＴ）であることを特徴とする請求項１記載の携帯装置に接続できる車載ビデオ／オーディオ装置。
【請求項３】
携帯装置は、多機能携帯電話機またはタブレットＰＣを選択することを特徴とする請求項１記載の携帯装置に接続できる車載ビデオ／オーディオ装置。
【請求項４】
前記制御システムは、ＣＡＮバス（Ｃｏｎｔｒｏｌｌｅｒ  ａｒｅａ  ｎｅｔｗｏｒｋ  ｂｕｓ，  ＣＡＮ  ＢＵＳ）通信プロトコルによって、車両制御コンピュータシステムのリニア通信システムに接続されることを特徴とする、請求項１記載の携帯装置に接続できる車載ビデオ／オーディオ装置。
【請求項５】
前記オーディオ出力システムは、音声ＤＳＰシステムと、音声制御システムと系統と、音声アンプシステムと、を含み、音声はスピーカを介して、再生されることを特徴とする、請求項１記載の携帯装置に接続できる車載ビデオ／オーディオ装置。
【請求項６】
車載ビデオ／オーディオ装置の制御システムは、さらにドライブレコーダに接続されていることを特徴とする、請求項１記載の携帯装置に接続できる車載ビデオ／オーディオ装置。
【請求項７】
前記ＦＭ／ＡＭ無線音声受信モジュールは、ラジオアンテナに接続されていることを特徴とする、請求項１記載の携帯装置に接続できる車載ビデオ／オーディオ装置。
【請求項８】
車内前方ダッシュボードの計装パネル上に取り付ける携帯装置に接続できる車載ビデオ／オーディオ装置であって、
車用電源変換システムに接続され、電力を取り込むとともに、車両制御コンピュータシステムのリニア通信システムを介して、車両制御コンピュータシステムに接続する制御システムと、
前面パネル、タッチスクリーンを有し、前記制御システムに接続され、表示駆動モジュールによってタッチスクリーンを制御する、知能型コンピュータモジュールと、内蔵のＧＰＳアンテナと、無線通信モジュールとを有する、前面パネルと、
前記制御システムに接続するＦＭ／ＡＭ無線音声受信モジュールと、
前記制御システムに接続する、ＤＶＤ／ＳＤ／ＵＳＢ再生モジュールと、
前記制御システムに接続する、デジタルテレビ受信及び再生モジュールと、
前記制御システムに接続するオーディオ出力システムと、を備える、
前記車載ビデオ／オーディオ装置を埋め込み型計算機システムモジュール及び有線通信モジュールシステムに整合する設計、または前記埋め込み型計算機システムモジュールに、無線通信モジュールシステムを内設する設計は、従来の携帯装置に接続して、機能制御を応用することができる、携帯装置が使用するすべてのユーザーインターフェスの画面を車載ビデオ／オーディオ装置の前記タッチスクリーンに伝送させ、表示及び操作することができ、さらに、ミラーリンクによる表示及び操作によって、使用者は、前記車載ビデオ／オーディオ装置に備える大きいスクリーンを利用して、直接携帯装置の応用プログラムの実行及びビデオ／オーディオの再生ができる車載ビデオ／オーディオ装置。
【請求項９】
前記ＦＭ／ＡＭ無線音声受信モジュールは、ラジオアンテナに接続されていることを特徴とする、請求項８記載の携帯装置に接続できる車載ビデオ／オーディオ装置。
【請求項１０】
携帯装置は、多機能携帯電話機またはタブレットＰＣを選択することを特徴とする請求項８記載の携帯装置に接続できる車載ビデオ／オーディオ装置。
【請求項１１】
前記制御システムは、ＣＡＮバス（Ｃｏｎｔｒｏｌｌｅｒ  ａｒｅａ  ｎｅｔｗｏｒｋ  ｂｕｓ，  ＣＡＮ  ＢＵＳ）通信プロトコルによって、車両制御コンピュータシステムのリニア通信システムに接続されることを特徴とする、請求項８記載の携帯装置に接続できる車載ビデオ／オーディオ装置。
【請求項１２】
前記オーディオ出力システムは、音声ＤＳＰシステムと、音声制御システムと系統と、音声アンプシステムと、を含み、音声はスピーカを介して、再生されることを特徴とする、請求項８記載の携帯装置に接続できる車載ビデオ／オーディオ装置。
【請求項１３】
前記車載ビデオ／オーディオ装置の制御システムは、さらにドライブレコーダに接続されていることを特徴とする、請求項８記載の携帯装置に接続できる車載ビデオ／オーディオ装置。
【請求項１４】
前記ＦＭ／ＡＭ無線音声受信モジュールは、ラジオアンテナに接続されていることを特徴とする、請求項８記載の携帯装置に接続できる車載ビデオ／オーディオ装置。
【考案の詳細な説明】
【技術分野】
【０００１】
本考案は、車内前方ダッシュボードの計装パネル上に取り付ける車載ビデオ／オーディオ装置に関し、特に従来の多機能携帯電話機またはタブレットＰＣなどに接続して、操作制御機能を応用することができる、携帯装置に接続できる車載ビデオ／オーディオ装置に関する。
【背景技術】
【０００２】
現在の車載ビデオ／オーディオ装置は、一般の汎用娯楽システムを有し、埋め込み型計算機システム（ｅｍｂｅｄｄｅｄ  ｃｏｍｐｕｔｅｒ  ｓｙｓｔｅｍ）を内設され、人工衛星によるナビゲーションや、他のコンピュータに接続して使用するか、または多機能携帯電話機のホットスポット機能（ｈｏｔ  ｓｐｏｔ）を介して、ウェブ上での検索機能を向上できる。しかし、従来の車載ビデオ／オーディオ装置は、システムの内部に配置された応用ソフト機能に限られている。
【考案の概要】
【考案が解決しようとする課題】
【０００３】
さらに、多機能携帯電話機またはタブレットＰＣなど、現時点の応用が非常に幅広く、携帯装置の通信及び情報応用製品となっている。しかし、従来の車載ビデオ／オーディオ装置には、有線または無線通信方式によって、無線通信機能を備えた携帯電話機、またはタブレットＰＣに接続できないため、車載ビデオ／オーディオ装置の機能の使用や、大きいサイズの表示スクリーン、またはタッチスクリーンでの操作使用はできない。これらの課題は、改善を要する。
【課題を解決するための手段】
【０００４】
公知技術の問題点について、本考案より携帯装置に接続できる車載ビデオ／オーディオ装置が提供されている。車載ビデオ／オーディオ装置を埋め込み型計算機システム（ｅｍｂｅｄｄｅｄ  ｃｏｍｐｕｔｅｒ  ｓｙｓｔｅｍ）と、有線通信方式のＨＤＭＩ及びＵＡＲＴに整合するか、または埋め込み型計算機システム（ｅｍｂｅｄｄｅｄ  ｃｏｍｐｕｔｅｒ  ｓｙｓｔｅｍ）に、ＷＩＦＩまたはＷＩＦＩ／ＧＰＲＳ（４Ｇ）の無線通信モジュールを内部に整合するように設計すれば、例えば、多機能携帯電話機またはタブレットＰＣなど、従来の携帯装置を接続することによって、操作制御機能を応用することができる。
【０００５】
本考案により、車内前方ダッシュボードの計装パネル上に取り付ける携帯装置に接続できる車載ビデオ／オーディオ装置が提供されている。
【０００６】
車用電源変換システムに接続され、電力を取り込むとともに、車両制御コンピュータシステムのリニア通信システムを介して、車両制御コンピュータシステムに接続する制御システムと、
【０００７】
タッチスクリーンを有し、前記制御システムに接続され、表示駆動モジュールによってタッチスクリーンを制御する、埋め込み型計算機システムと、ＧＰＳ内蔵式受信アンテナと、有線通信モジュールシステムまたは無線通信モジュールとを有する、前面パネルと、
【０００８】
前記制御システムに接続するＦＭ／ＡＭ無線音声受信モジュールと、
【０００９】
前記制御システムに接続する、ＤＶＤ／ＳＤ／ＵＳＢ再生モジュールと、
【００１０】
前記制御システムに接続する、デジタルテレビ受信及び再生モジュールと、
【００１１】
前記制御システムに接続するオーディオ出力システムと、を備える、
【００１２】
車載ビデオ／オーディオ装置を埋め込み型計算機システムモジュール及び有線通信モジュールシステムに整合する設計、または埋め込み型計算機システムモジュールに、無線通信モジュールシステムを内設する設計は、従来の携帯装置に接続して、機能制御を応用することができる。携帯装置が使用するすべてのユーザーインターフェスの画面を車載ビデオ／オーディオ装置のタッチスクリーンに伝送させ、表示及び操作することができる。さらに、ミラーリンクによる表示及び操作によって、使用者は、車載ビデオ／オーディオ装置に備える大きいスクリーンを利用して、直接に携帯装置の応用プログラムの実行及びビデオ／オーディオの再生ができる。
【００１３】
本考案が提供する携帯装置に接続できる車載ビデオ／オーディオ装置の有線通信モジュールシステムは、エイチディーエムアイ（ＨＤＭＩ）と汎用非同期式送受信機構（ＵＡＲＴ）を選択し、無線通信システムモジュールは、ＷＩＦＩまたはＷＩＦＩ／ＧＰＲＳ（４Ｇ）システムを選択する。
【００１４】
さらに、本考案が提供する携帯装置に接続できる車載ビデオ／オーディオ装置を適用すれば、携帯電話機またはタブレットＰＣなどの携帯装置が３Ｇ以上の無線通信システムに対応可能な場合は、本考案の携帯装置に接続できる車載ビデオ／オーディオ装置とミラーリンクによって、接続及び表示操作すれば、リモートデスクトップ（Ｒｅｍｏｔｅ  Ｄｅｓｋｔｏｐ）機能を実現できるほか、遠隔地にあるコンピュータシステムに接続して、リモートデスクトップ（Ｒｅｍｏｔｅ  Ｄｅｓｋｔｏｐ）機能を利用して、遠隔地にあるコンピュータの操作制御及びデータ伝送することができる。
【図面の簡単な説明】
【００１５】
【図１】本考案のシステム構造図である。
【図２】本考案を車内前方ダッシュボードの計装パネル上に取り付けた態様図である。
【考案を実施するための形態】
【００１６】
以下、図面に示された実施例に基づき、本考案の構造の特徴および使用効果を詳しく説明する。
【実施例】
【００１７】
図１、本考案は、携帯装置に接続できる車載ビデオ／オーディオ装置１００を車内前方ダッシュボードの計装パネル上に取り付ける態様（図２に示す）である。主に、制御システム１０１と、前面パネル１０２と、ＦＭ／ＡＭ無線音声受信モジュール１０３と、ＤＶＤ／ＳＤ／ＵＳＢ再生モジュール１０４と、デジタルテレビ受信及び再生モジュール１０５と、オーディオ出力システム０６と、を構成する。
本考案の制御システム１０１は、車用電源変換システム１０７に接続し電力を取り込むとともに、車両制御コンピュータシスのリニア通信システム１０８によって、車内の車両制御コンピュータシステムに接続する。車両制御コンピュータシスのリニア通信システム１０８は、ＣＡＮバス（Ｃｏｎｔｒｏｌｌｅｒ  ａｒｅａ  ｎｅｔｗｏｒｋ  ｂｕｓ，  ＣＡＮ  ＢＵＳ）通信プロトコルが使用されている。
【００１８】
本考案の前面パネル１０２は、制御システム１０１に接続され、タッチスクリーン１０２ａを有するほか、表示駆動モジュール１０２ｂによって、タッチスクリーン１０２ａを制御する。埋め込み型計算機システムモジュール１０２ｃによって、ＧＰＳ内蔵式受信アンテナ１０２ｄと有線通信システムモジュール１０２ｅを整合するか、または埋め込み型計算機システムモジュール１０２ｃに無線通信システムモジュール１０２ｆが整合されている。そのうち、有線通信モジュールシステム１０２ｅは、エイチディーエムアイ（Ｈｉｇｈ  Ｄｅｆｉｎｉｔｉｏｎ  Ｍｕｌｔｉｍｅｄｉａ  Ｉｎｔｅｒｆａｃｅ，  ＨＤＭＩ）と、汎用非同期式送受信機構（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ，  ＵＡＲＴ）を選択し、無線通信システムモジュール１０２ｆは、ＷＩＦＩまたはＷＩＦＩ／ＧＰＲＳ（４Ｇ）システムを選択する。
【００１９】
さらに、本考案のＦＭ／ＡＭ無線音声受信モジュール１０３、ＤＶＤ／ＳＤ／ＵＳＢ再生モジュール１０４、デジタルテレビ受信及び再生モジュール１０５と、オーディオ出力システム１０６は、すべて制御システム１０１に接続されている。オーディオ出力システム１０６は、音声ＤＳＰシステム１０６ａ、音声制御システム１０６ｂと、音声アンプシステム１０６ｃとを含み、音声は車載のスピーカ１０９より再生させる。ＦＭ／ＡＭ無線音声受信モジュール１０３は、ラジオアンテナ１１０に接続されている。このほか、制御システム１０１は、例えばさらにドライブレコーダ１１１に接続しても良い。
【００２０】
本考案が提供する携帯装置に接続できる車載ビデオ／オーディオ装置１００を埋め込み型計算機システム１０２ｃと、有線通信モジュールシステム１０２ｅに整合するか、または埋め込み型計算機システム１０２ｃに無線通信システムモジュール１０２ｆを整合する設計は、従来の携帯装置（多機能携帯電話機またはタブレットＰＣなど）に接続して、機能を操作使用することができる。携帯装置すべてのユーザーインターフェス（ＵＩ）のオンスクリーンディスプレイ（Ｏｎ  ｓｃｒｅｅｎ  ｄｉｓｐｌａｙ，  ＯＳＤ）を車載ビデオ／オーディオ装置１００のタッチスクリーン１０２ａに伝送して表示及び操作に備える。さらに、ミラーリンクによる表示及び操作（ｍｉｒｒｏｒ  ｄｉｓｐｌａｙ  ａｎｄ  ｃｏｎｔｒｏｌ）機能を利用して、使用者は車載ビデオ／オーディオ装置１００に備える大きいタッチスクリーン１０２ａを利用し、直接に携帯装置の応用プログラム及びビデオ／オーディオを操作することができる。
【００２１】
さらに、本考案が提供する携帯装置に接続できる車載ビデオ／オーディオ装置１００を適用すれば、携帯電話機またはタブレットＰＣなどの携帯装置が３Ｇ以上の無線通信システムに対応可能な場合は、本考案の携帯装置に接続できる車載ビデオ／オーディオ装置とミラーリンクによって、接続及び表示操作すれば、リモートデスクトップ（Ｒｅｍｏｔｅ  Ｄｅｓｋｔｏｐ）機能を実現できるほか、遠隔地にあるコンピュータシステムに接続して、リモートデスクトップ（Ｒｅｍｏｔｅ  Ｄｅｓｋｔｏｐ）機能を利用して、遠隔地にあるコンピュータの操作制御及びデータ伝送することができる。
【００２２】
以上、説明したとおり、本考案の携帯装置に接続できる車載ビデオ／オーディオ装置は、実用新案の新規性と進歩性を満足しており、よって、法によって出願する。
【符号の説明】
【００２３】
１００            車載ビデオ／オーディオ装置
１０１            制御システム
１０２            前面パネル
１０２ａ          タッチスクリーン
１０２ｂ          表示駆動モジュール
１０２ｃ          埋め込み型計算機システム
１０２ｄ          ＧＰＳ内蔵式受信アンテナ
１０２ｅ          有線通信システムモジュール
１０２ｆ          無線通信システムモジュール
１０３            ＦＭ／ＡＭ無線音声受信モジュール
１０４            ＤＶＤ／ＳＤ／ＵＳＢ再生モジュール
１０５            デジタルテレビ受信及び再生モジュール
１０６            オーディオ出力システム
１０６ａ          音声ＤＳＰシステム
１０６ｂ          音声制御システム
１０６ｃ          音声パワーシステム
１０７            車用電源変換システム
１０８            車両制御コンピュータシステムのリニア通信システム
１０９            スピーカ
１１０            ラジオアンテナ
１１１            ドライブレコーダ
【図１】
0003174568.tif 000003
【図２】
0003174568.tif 000004